(57)【要約】【課題】  本発明は、用紙に付与された磁性体を非接触で検知するために磁性体を励磁する磁界を発生させる平面アンテナと、励磁された磁性体が発する信号を受信する平面アンテナとが互いに近接して配置されている場合であっても漏洩磁界の影響による磁性体の誤検知を防止する用紙検出装置を提供する。【解決手段】  用紙に付与された磁性体に磁化反転を生じさせる交番磁界を発生する第１の導体パターンが該用紙の幅に亘って形成された第１の基板と、前記第１の基板に所定距離離間して対向して配設され、前記用紙に付与された磁性体の磁化反転により生じる信号を検出する第２の導体パターンが形成された第２の基板と、前記第１の基板と前記第２の基板との間に用紙を搬送する搬送手段とを具備し、前記第２の基板の前記第２の導体パターンの検出出力に基づき前記磁性体が付与された用紙を検出する。【選択図】  図２
2008070948.tif 000002
【特許請求の範囲】
【請求項１】
用紙に付与された磁性体に磁化反転を生じさせる交番磁界を発生する第１の導体パターンが該用紙の幅に亘って形成された第１の基板と、
前記第１の基板に所定距離離間して対向して配設され、前記用紙に付与された磁性体の磁化反転により生じる信号を検出する第２の導体パターンが形成された第２の基板と、
前記第１の基板と前記第２の基板との間に用紙を搬送する搬送手段と
を具備し、
前記第２の基板の前記第２の導体パターンの検出出力に基づき前記磁性体が付与された用紙を検出する用紙検出装置。
【請求項２】
前記第１の基板および前記第２の基板は、
前記用紙の搬送方向に直角な長さに対応する長さを有し、湾曲自在なフレキシブル基板からなる請求項１記載の用紙検出装置。
【請求項３】
用紙に付与された磁性体に磁化反転を生じさせる交番磁界を発生する第１の導体パターンと前記用紙に付与された磁性体の磁化反転により生じる信号を検出する第２の導体パターンとが積層形成された第１の基板と、
前記第１の基板に所定距離離間して対向して配設され、用紙に付与された磁性体に磁化反転を生じさせる交番磁界を発生する第３の導体パターンと前記用紙に付与された磁性体の磁化反転により生じる信号を検出する第４の導体パターンとが積層形成された第２の基板と、
前記第１の基板と前記第２の基板との間に用紙を搬送する搬送手段と
を具備し、
前記第１の基板の前記第２の導体パターン若しくは前記第２の基板の前記第４の導体パターンの検出出力に基づき前記磁性体が付与された用紙を検出する用紙検出装置。
【請求項４】
前記第１の基板および前記第２の基板は、
前記用紙の搬送方向に直角な長さに対応する長さを有し、湾曲自在なフレキシブル基板からなる請求項３記載の用紙検出装置。
【請求項５】
前記第１の基板の第１の導体パターンと前記第２の基板の第３の導体パターンに交互に切り替えて励磁電流を流すことにより前記第１の基板の第１の導体パターンと前記第２の基板の第３の導体パターンから交互に交番磁界を発生させ、前記第１の基板の第１の導体パターンから発生された交番磁界により前記磁性体から発生された信号を前記第２の基板の前記第４の導体パターンで検出し、前記第２の基板の第３の導体パターンから発生された交番磁界により前記磁性体から発生された信号を前記第１の基板の前記第２の導体パターンで検出する請求項３記載の用紙検出装置。
【請求項６】
前記第１の基板の第１の導体パターンと前記第２の基板の第３の導体パターンに交互に流す励磁電流を該励磁電流の周波数に同期して切り替える請求項５記載の用紙検出装置。
【発明の詳細な説明】
【技術分野】
【０００１】
この発明は、磁性体が付与された用紙を検出する用紙検出装置に関し、特に、用紙に付与された磁性体を非接触で検知するために磁性体を励磁する磁界を発生させる平面アンテナと、励磁された磁性体が発する信号を受信する平面アンテナとが互いに近接して配置されている場合であっても漏洩磁界の影響による磁性体の誤検知を防止する用紙検出装置に関する。
【背景技術】
【０００２】
近年、非接触で検知する検知素子とその検知装置の技術としてＩＣチップを備えたＩＣカードと、そのリーダ／ライタが普及しており、特にＲＦＩＤ（＝Ｒａｄｉｏ  Ｆｒｅｑｕｅｎｃｙ  ＩＤｅｎｔｉｆｉｃａｔｉｏｎ）の非接触型ＩＣカードが広く利用されている。
【０００３】
非接触型ＩＣカードに記憶された情報は、非接触型ＩＣカードとリーダ／ライタとがそれぞれ備えるループアンテナを介して情報が送受信されることでリーダ／ライタがその情報を読み取るが、リーダ／ライタは、非接触型ＩＣカードがリーダ／ライタから数ｃｍないし数十ｃｍ離れた位置にあっても非接触型ＩＣカードの情報を非接触で読み取ることができる。
【０００４】
また、非接触型ＩＣカードは、汚れや静電気等に強いことから入退室管理、工場の生産管理、物流の管理等の様々な分野で利用されている。
【０００５】
また、非接触で検知する検知素子とその検知装置の適用技術として大バルグハウゼン効果を起こす磁性素子を商品に付与し、その磁性素子の検知装置をゲートに設置することで検知装置がゲート通過時の商品に付与された磁性素子を検知し、商品の盗難を防止する装置も提供されている。
【０００６】
大バルグハウゼン効果を起こす磁性素子は、例えばＣｏ−Ｆｅ系アモルファス軟磁性材の磁性ワイヤー等があり、この磁性素子は、磁性素子の保磁力を超える交番磁界を受けた時に磁化反転を起こし、その際に急峻な磁気パルスを発生させる特徴があることから励磁コイルで交番磁界発生させて磁性素子に与え、磁性素子が磁化反転時に発する急峻な磁気パルスを磁性素子近傍に配置された検知コイルを介して検出することで磁性素子の存在が検知できる。
【０００７】
また、磁性素子は、非接触型ＩＣカードと比べればコストが安いので大量の商品や媒体に付与する場合や使い捨て媒体に付与する場合に適している。
【０００８】
例えば特許文献１には、商品等の物品に添付された識別標識の移動を検出することにより商店における商品の盗難を防止する物品監視システムが提案されている。
【０００９】
上記提案の物品監視システムは、商品等に添付された磁性材を有するタグがタグの検知領域を移動する際に、送信アンテナから発生された信号により磁性体の磁束密度を変化させ、その磁束密度の変化に起因した信号を受信アンテナで検出し、検出信号に基づきタグが添付された商品を検知する検知装置において、送信アンテナが内蔵された送信アンテナハウジングと、受信アンテナが内蔵された受信アンテナハウジングとが対向して設置された検知ゲートの各アンテナハウジングの無駄な空間に表示装置を嵌め込み、表示装置に商品情報等を表示させることでタグの検知能力を低下させることなく、検知ゲートの無駄な空間を有効利用するように構成されたものである。
【特許文献１】特開２００２−３１９０７７号公報
【発明の開示】
【発明が解決しようとする課題】
【００１０】
上記特許文献１に示されるような検知ゲートを複写機や印刷装置内に配置し、当該検知ゲート内を大バルグハウゼン効果を起こす磁性素子が付与された記録紙等の媒体を通過させて検知する環境に適用する場合、励磁コイルと検知コイルとが近接し、それぞれ対向して配置されるため励磁コイルから発信される磁界の検知コイルへの漏洩により磁性素子が誤検知される場合がある。
【００１１】
しかしながら、上記特許文献１には、励磁コイルと検知コイルとが互いに近接して配置されている場合であっても漏洩磁界の影響による磁性素子の誤検知を防止する提案はなされていない。
【００１２】
そこで、本発明は、用紙に付与された磁性体を非接触で検知するために磁性体を励磁する磁界を発生させる平面アンテナと、励磁された磁性体が発する信号を受信する平面アンテナとが互いに近接して配置されている場合であっても漏洩磁界の影響による磁性体の誤検知を防止する用紙検出装置を提供することを目的とする。
【課題を解決するための手段】
【００１３】
上記目的を達成するため、請求項１の用紙検出装置の発明は、用紙に付与された磁性体に磁化反転を生じさせる交番磁界を発生する第１の導体パターンが該用紙の幅に亘って形成された第１の基板と、前記第１の基板に所定距離離間して対向して配設され、前記用紙に付与された磁性体の磁化反転により生じる信号を検出する第２の導体パターンが形成された第２の基板と、前記第１の基板と前記第２の基板との間に用紙を搬送する搬送手段とを具備し、前記第２の基板の前記第２の導体パターンの検出出力に基づき前記磁性体が付与された用紙を検出する。
【００１４】
また、請求項２の発明は、請求項１の発明において、前記第１の基板および前記第２の基板は、前記用紙の搬送方向に直角な長さに対応する長さを有し、湾曲自在なフレキシブル基板からなる。
【００１５】
また、請求項３の発明は、用紙に付与された磁性体に磁化反転を生じさせる交番磁界を発生する第１の導体パターンと前記用紙に付与された磁性体の磁化反転により生じる信号を検出する第２の導体パターンとが積層形成された第１の基板と、前記第１の基板に所定距離離間して対向して配設され、用紙に付与された磁性体に磁化反転を生じさせる交番磁界を発生する第３の導体パターンと前記用紙に付与された磁性体の磁化反転により生じる信号を検出する第４の導体パターンとが積層形成された第２の基板と、前記第１の基板と前記第２の基板との間に用紙を搬送する搬送手段とを具備し、前記第１の基板の前記第２の導体パターン若しくは前記第２の基板の前記第４の導体パターンの検出出力に基づき前記磁性体が付与された用紙を検出する。
【００１６】
また、請求項４の発明は、請求項３の発明において、前記第１の基板および前記第２の基板は、前記用紙の搬送方向に直角な長さに対応する長さを有し、湾曲自在なフレキシブル基板からなる。
【００１７】
また、請求項５の発明は、請求項３の発明において、前記第１の基板の第１の導体パターンと前記第２の基板の第３の導体パターンに交互に切り替えて励磁電流を流すことにより前記第１の基板の第１の導体パターンと前記第２の基板の第３の導体パターンから交互に交番磁界を発生させ、前記第１の基板の第１の導体パターンから発生された交番磁界により前記磁性体から発生された信号を前記第２の基板の前記第４の導体パターンで検出し、前記第２の基板の第３の導体パターンから発生された交番磁界により前記磁性体から発生された信号を前記第１の基板の前記第２の導体パターンで検出する。
【００１８】
また、請求項６の発明は、請求項５の発明において、前記第１の基板の第１の導体パターンと前記第２の基板の第３の導体パターンに交互に流す励磁電流を該励磁電流の周波数に同期して切り替える。
【発明の効果】
【００１９】
この発明の用紙検出装置によれば、用紙に付与された磁性体に磁化反転を生じさせる交番磁界を発生する第１の導体パターンが該用紙の幅に亘って形成された湾曲自在な第１の基板と、第１の基板に所定距離離間して対向して配設され、用紙に付与された磁性体の磁化反転により生じる信号を検出する第２の導体パターンが形成された湾曲自在な第２の基板と、第１の基板と第２の基板との間に用紙を搬送する搬送手段とを具備し、第２の基板の第２の導体パターンの検出出力に基づき磁性体が付与された用紙を検出するので、複写機や印刷装置等の種々の装置に柔軟に適用でき、各基板間の漏洩磁界の影響による磁性体の誤検知を防止することができる。
【発明を実施するための最良の形態】
【００２０】
以下、本発明に係わる用紙検出装置の一実施例について添付図面を参照して詳細に説明する。
【００２１】
図１は、本発明に係わる用紙検出装置３０を適用した複写機１００の要部の構成を概略的に示したブロック図である。
【００２２】
図１に示すように、複写機１００は、複写機１００のプラテンガラス３上にプラテンカバー２で押えられた原稿１を光学的に走査して読み取った画情報に所定の画像処理を施し、印刷出力用の画像データへ変換する画像処理部２０と、画像処理部２０で変換され出力される画像データを用紙トレイ４から給紙される専用紙１０上に形成する画像形成部５０（図中の破線で囲まれた部分）と、画像データが印刷された専用紙１０から専用紙１０に付与された図示せぬ磁性ワイヤーを検出し、この検出結果に基づき専用紙１０の識別情報を検知する用紙検出装置３０と、用紙検出装置３０で検知した専用紙１０の識別情報と当該専用紙１０に印刷された画情報とを対応付けて記憶管理する図示せぬデータベースと、複写機１００全体を統括制御する制御部４０とを備えている。
【００２３】
画像形成部５０は、画像処理部２０から出力される画像データに応じてレーザ光を感光ドラム５２へ照射する走査露光制御を行う露光制御部５１と、露光制御部５１の走査露光制御により感光ドラム５２表面上に形成された潜像を各色のトナーで現像する現像器５３と、現像器５３が感光ドラム５２上に形成したトナー画像を用紙トレイ４から給紙された専用紙１０上に転写する転写ドラム５４と、専用紙１０上に形成されたトナー画像を専用紙１０上に定着させる定着装置５５とを備えている。
【００２４】
用紙トレイ４に蓄積収納される専用紙１０には、前述したように磁性ワイヤーが付与されて表現された識別情報が予め付与されており、複写機１００は、専用紙１０の識別情報と当該専用紙１０に印刷された画情報とを対応付けて文書管理を行うように構成されている。
【００２５】
また、画情報が印刷された専用紙１０の識別情報を非接触で検知するために、画情報が印刷された専用紙１０が画像形成部５０から排紙トレイ５へ排紙される排紙経路の途上には用紙検出装置３０の平面アンテナ（送信用）３１と平面アンテナ（受信用）３２とが上下に対向して配置されている。
【００２６】
平面アンテナ（送信用）３１と平面アンテナ（受信用）３２は、専用紙１０の搬送方向に直角な方向の専用紙１０の大きさに対応する長さを有し、湾曲自在であり、平面アンテナ（送信用）３１と平面アンテナ（受信用）３２との間を専用紙１０が搬送されるように専用紙１０の厚みより少し大きい程度の距離だけ離間され、対向して配設されている。
【００２７】
画像形成部５０の定着装置５５でトナー画像が定着された専用紙１０は、平面アンテナ（送信用）３１と平面アンテナ（受信用）３２との間を搬送されて排紙トレイ５へ排紙される。
【００２８】
専用紙１０の識別情報は、識別情報に対応付けされた少なくとも一種類以上の大バルクハウゼン効果を起こす磁性ワイヤーが予め付与されて表現されており、これらの磁性ワイヤーは、励磁されることで信号は発する特性を有している。
【００２９】
画情報が印刷された専用紙１０が各平面アンテナの間を搬送されることで、専用紙１０に付与された少なくとも一種類以上の磁性ワイヤーが平面アンテナ（送信用）３１から発生する磁界により順次励磁され、該励磁された磁性ワイヤーから順次発生される信号を平面アンテナ（受信用）３２を介して用紙検出装置３０が順次検出し、専用紙１０の識別情報を検知するように構成されている。
【００３０】
なお、専用紙１０は、専用紙１０の表面と各平面アンテナの平面とが平行な状態で平面アンテナ（送信用）３１と平面アンテナ（受信用）３２との間を搬送され、平面アンテナ（送信用）３１と平面アンテナ（受信用）３２との配置は、専用紙１０の搬送経路に応じて専用紙１０を挟む方向で左右に対向して配置されていてもよく、平面アンテナ（送信用）３１と平面アンテナ（受信用）３２との間を磁性ワイヤーが通過するように配置されていればよい。
【００３１】
図２は、複写機１００に適用された本発明に係わる用紙検出装置３０の要部の構成と、各平面アンテナの一例を示す図である。
【００３２】
図２（ａ）は用紙検出装置３０の要部の構成を示すブロック図、図２（ｂ）は用紙検出装置３０の各平面アンテナの平面図、図２（ｃ）は各平面アンテナの断面図である。
【００３３】
図２（ａ）に示すように、用紙検出装置３０は、平面アンテナ（送信用）３１と、平面アンテナ（受信用）３２と、励磁部３３と、検知部３４と、タイミング制御部３５と、信号処理部３６とを備えている。
【００３４】
平面アンテナ（送信用）３１は、図２（ｂ）及び（ｃ）に示すように、用紙の幅に対応して長方形状に形成された湾曲自在の絶縁基板３１０の表面に導体３１２で形成された渦巻き状の導体パターン３１１が形成され、その上層に皮膜層３１３で皮膜されて構成されている。
【００３５】
また、平面アンテナ（送信用）３１の導体パターン３１１の両端には端子３１４と、端子３１５が形成されており、この各端子を介して励磁部３３と接続されるように構成されている。
【００３６】
この導体パターン３１１に電流が流れることで導体パターン３１１の形状に対応した交番磁界が発生し、この交番磁界を大バルクハウゼン効果を起こす磁性ワイヤーが受けると磁化反転し、磁化反転時に急峻な磁気パルスが生じる。
【００３７】
また、平面アンテナ（受信用）３２は、平面アンテナ（送信用）３１と同様に用紙の幅に対応して形成された長方形状の図示せぬフレキシ基板の表面に導体で形成された渦巻き状の導体パターンが形成され、その上層に皮膜層で皮膜されており、導体パターンの両端には端子が形成されている。
【００３８】
なお、各平面アンテナの導体パターンの形状は、限定されるものではなく、各平面アンテナの適用環境に応じた形状でよく、例えば平面アンテナ（送信用）３１の導体パターンは、導体パターンに電流が流れることで導体パターンから発生する交番磁界が平面アンテナ（送信用）３１の平面と直交する方向に磁界が発生するような導体パターンであれば何れの形状の導体パターンでもよい。  
また、平面アンテナ（受信用）３２の導体パターンは、励磁された磁性ワイヤーから発生する信号による磁界の変化を検出しやすいように形成された導体パターンであれば何れの形状の導体パターンでもよい。  
前述したように、平面アンテナ（送信用）３１の導体パターン３１１と励磁部３３とは導体パターン３１１の各端子３１４、端子３１５を介して接続され、検知部３４と平面アンテナ（受信用）３２の導体パターンとの接続は、平面アンテナ（受信用）３２の導体パターンの各端子を介して接続されている。
【００３９】
励磁部３３は、所定周波数の交流電流を生成し、生成した交流電流を平面アンテナ（送信用）３１に流す制御を行い、専用紙１０に付与された磁性ワイヤーを励磁するための交番磁界を発生させる。
【００４０】
タイミング制御部３５は、励磁部３３と検知部３４とのタイミング制御を行う。
【００４１】
具体的には、励磁部３３で生成される所定周波数の交流電流の立ち上がり方向で電流値が０になる時間、すなわち電流の向きが負から正へ逆転する時の時間を検出し、この検出した時間に交番磁界の一周期に一回のタイミングで検知部３４へ基準信号を出力する。
【００４２】
検知部３４は、専用紙１０に付与された磁性ワイヤーが平面アンテナ（送信用）３１から発生した交番磁界を受けて磁化反転時に発する磁気パルスを平面アンテナ（受信用）３２に流れる誘導電流の検出結果とタイミング制御部２４から出力された基準信号のタイミングに基づき検出し、検出結果を信号処理部３６へ出力する。
【００４３】
信号処理部３６は、検知部３４から出力された検出信号を増幅し、平面アンテナ（送信用）３１から発生した交番磁界とノイズ成分を除去して磁性ワイヤーの磁化反転時の磁気パルスに対応したパルス信号を検出し、検出結果に基づき少なくとも一種類以上の磁性ワイヤーと対応付けされて表現されて専用紙１０に付与された識別情報３００を検知する。  
このように構成された複写機１００が原稿１の画情報を読み取って専用紙１０に複写印刷後、原稿１の画情報と当該画情報が印刷された専用紙１０とを対応付けて文書管理するまでの処理動作について簡単に説明する。
【００４４】
ユーザが複写機１００のプラテンカバー２を開き、原稿１をプラテンガラス３上に置いた後、プラテンカバー２を閉じて図示せぬ複写開始ボタンを押下すると、制御部４０の指令により画像処理部２０が原稿１をスキャンして原稿１の画情報を読み取り、読み取った画情報に対して所定の画像処理を施して印刷出力用の画像データに変換後、画像形成部５０の露光制御部５１へ出力する。
【００４５】
露光制御部５１は、画像処理部２０から出力された画像データに基づきレーザ光を感光ドラム５２上に照射する走査露光の制御を行う。
【００４６】
露光制御部５１で制御されたレーザ光の走査露光により感光ドラム５２の表面上に画像データに対応した静電潜像が形成され、静電潜像に対応したそれぞれの色のトナーが現像器５３から供給されトナー象が形成される。
【００４７】
感光ドラム５２の表面上に形成されたトナー像は、用紙トレイ４から給紙されて転写ドラム５４上に保持された専用紙１０へ静電力によって転写され、専用紙１０とともに定着装置５５へ搬送され、定着装置５５により専用紙１０上へ熱定着される。
【００４８】
原稿１の画情報が印刷された専用紙１０は、排紙トレイ５へ排紙される途上で用紙検出装置３０の平面アンテナ（送信用）３１と平面アンテナ（受信用）３２との間に搬送される。
【００４９】
用紙検出装置３０は、励磁部３３で生成した所定周波数の交流電流を平面アンテナ（送信用）３１の導体パターン３１１へ流して所定周波数の交番磁界を平面アンテナ（送信用）３１から発生させており、専用紙１０に付与された磁性ワイヤーが平面アンテナ（送信用）３１から発生している交番磁界を受けて磁化反転し、磁化反転時に磁性ワイヤーから磁気パルスが発生する。
【００５０】
用紙検出装置３０の検知部３４が磁性ワイヤーから発生した磁気パルスを平面アンテナ（受信用）３２の導体パターン内を流れる誘導電流に基づき検出し、信号処理部３６が検知部３４で検出された検出信号に基づき所定の信号処理を行い磁性ワイヤーから発生した磁気パルスの検出結果に基づき専用紙１０の識別情報を検知する。
【００５１】
用紙検出装置３０によって検知された専用紙１０の識別情報は、制御部４０へ出力され、制御部４０が用紙検出装置３０で検知された専用紙１０の識別情報と、画像処理部２０で読み取られた原稿１の画情報とを対応付けて図示せぬデータベースへ記憶管理し、文書管理を行う。
【００５２】
このように用紙検出装置３０は、搬送されてくる専用紙１０に付与された磁性ワイヤーに対して平面アンテナ（送信用）３１の導体パターン３１１で交番磁界を発生させて与え、磁化反転した磁性ワイヤーが発する磁気パルスを平面アンテナ（送信用）３１と対向されて配置された平面アンテナ（受信用）３２の導体パターンで受信して検出するので各導体パターンのクロストークの影響を抑え、磁性体の誤検知を防止することができる。
【００５３】
このように動作する用紙検出装置３０を複写機１００に用いることにより、原稿１の画情報と原稿１の画情報が複写印刷された専用紙１０の識別情報とを対応付けて文書管理することができる。
【００５４】
また、文書管理された原稿を複写機で複写する際、複写機が原稿に付与された識別情報に基づき原稿が複写可または複写不可のいずれかを判別し、複写不可と判別した場合は、複写禁止動作を行うような構成とすることで、不用意な複写等による機密情報の漏洩を防止することも可能となる。
【００５５】
ところで、図１で示した複写機１００により原稿１の画情報と当該画情報を複写印刷した専用紙１０の識別情報とを対応付けて文書管理する場合は、専用紙１０の識別情報に対応付けされた少なくとも一種類以上の複数の磁性ワイヤーが予め付与された専用紙１０を用いるように構成されており、この専用紙１０の識別情報は、専用紙１０に付与された磁性ワイヤーが所定の磁界を受けることで磁化され、磁化反転時に発する急峻な磁気パルスの検知結果に基づき用紙検出装置３０が非接触で検知するように構成されている。
【００５６】
図３は、複数の磁性ワイヤーで対応付けされて表現された識別情報３００が付与された専用紙１０の一例を示す図である。
【００５７】
図３（ａ）は、専用紙１０に付与された識別情報に対応付けされた３本の磁性ワイヤー３０１、磁性ワイヤー３０２、磁性ワイヤー３０３の配置状態を示す図であり、図３（ｂ）は、各磁性素子の磁化特性を示す図である。
【００５８】
なお、専用紙１０の識別情報は、少なくとも一種類以上の磁性ワイヤーを組み合わせて表現することが可能であり、図３においては、説明の便宜上、一種類の磁性ワイヤーを３本用いて表現した識別情報の一例が示してある。
【００５９】
図３（ａ）及び図３（ｂ）に示すように、専用紙１０には例えばＣｏ−Ｆｅ系アモルファス軟磁性材の磁性ワイヤー３０１、磁性ワイヤー３０２、磁性ワイヤー３０３が等間隔Ｐで配置されて表現された識別情報が付与されており、各磁性ワイヤーは、同一の長さと線径の大きさで同一の磁化特性を有し、各磁性ワイヤーが同じ保磁力を有している。
【００６０】
各磁性ワイヤーは、例えば図３（ｂ）に示すような磁気履歴曲線３０５の磁気特性を有しており、保磁力Ｈ１を有している。
【００６１】
なお、アモルファス軟磁性材の磁性ワイヤーの保磁力は、磁性ワイヤーの大きさや形状等により異なる。
【００６２】
保磁力Ｈ１を有する各磁性ワイヤーは、保磁力Ｈ１を超える磁界を外部から受けた時に磁化反転し、その際に急峻な磁気パルスを発生する特性がある。
【００６３】
専用紙１０に等間隔Ｐで配置付与された各磁性ワイヤーは、各磁性ワイヤーが磁化反転時に発する磁気パルスを用紙検出装置３０が平面アンテナ（受信用）３２を介して順次検出できるように専用紙１０の搬送方向と平行な方向で互いに隣り合う磁性ワイヤー間の間隔Ｓが平面アンテナ（受信用）３２の幅Ｗ以上となるように配置されて専用紙１０に付与されている。
【００６４】
このように、専用紙１０には、専用紙１０の識別情報に対応付けされた磁性ワイヤー３０１、磁性ワイヤー３０２、磁性ワイヤー３０３が等間隔で配置されているので、画情報が印刷された専用紙１０の各磁性ワイヤーは、画像形成部５０と排紙トレイ５との途上に配置された平面アンテナ（送信用）３１と平面アンテナ（受信用）３２の間を搬送され、平面アンテナ（送信用）３１から発生している交番磁界により順次励磁されて磁化反転する。
【００６５】
用紙検出装置３０は、順次磁化反転した各磁性ワイヤーが発する磁気パルスを平面アンテナ（受信用）３２を介して順次検出することで検出結果に基づき画情報が印刷された専用紙１０の識別情報を検知することがせきる。
【００６６】
用紙検出装置３０が画情報が印刷された専用紙１０の識別情報を検知する動作について図４及び図５を参照して説明する。
【００６７】
図４（ａ）は、各平面アンテナの間を通過する専用紙１０の様子を示す模式図、図４（ｂ）は、用紙検出装置３０の検知部３４で検出される検出信号波形の一例を示す図、図４（ｃ）は、信号処理部３６で検出される磁気パルスに対応したパルス信号波形を示す図である。
【００６８】
図４（ａ）に示すように、専用紙１０が平面アンテナ（送信用）３１と平面アンテナ（受信用）３２との間を所定の搬送速度Ｖで搬送されると、専用紙１０の搬送方向（図中の矢印方向）に対して専用紙１０の最前方側に形成された磁性ワイヤー３０１が平面アンテナ（送信用）３１から発信されている交番磁界４０１を最初に受けて磁化反転し、その際に大バルクハウゼン効果による磁気パルスを発する。
【００６９】
検知部３４は、平面アンテナ（送信部）３１から発信された交番磁界４０１と、磁性ワイヤー３０１が磁化反転時に発した磁気パルスを平面アンテナ（受信部）３２を介して受信し、その受信信号とタイミング制御部３５から出力される基準信号とに基づき図４（ｂ）に示すような検出信号波形４０２を検出する。
【００７０】
図４（ｂ）に示すように、検出信号波形４０２には交番磁界の波形信号４０１の他に磁化反転時の磁性ワイヤー３０１が発した磁気パルスに対応したパルス信号Ａ、パルス信号Ｂが検出されている。
【００７１】
パルス信号Ａ、パルス信号Ｂは、例えばタイミング制御部３５から出力された基準信号に基づく時刻ｔａの時に磁界強度が略Ｈ１を超える交番磁界４０１を受けた保磁力Ｈ１を有する磁性ワイヤー３０１が磁化反転して発する磁気パルスＡ（時刻ｔａの時）と、基準信号に基づく時刻ｔｂの時に磁界強度が略−Ｈ１を超える交番磁界４０１を受けた磁性ワイヤー３０１が磁化反転して発する磁気パルス信号Ｂ（時刻ｔｂの時）の検出信号波形である。
【００７２】
検知部３４で検出された検出信号波形４０２は、信号処理部３６へ出力され、信号処理部３６が検出信号波形４０２のうちの交番磁界成分の信号波形４０１を除去し、パルス信号Ａ、Ｂのうちの正の信号成分であるパルス信号Ａを増幅後、ノイズ成分を除去する信号処理後、図４（ｃ）に示すようなパルス信号Ａを検出する。
【００７３】
このように専用紙１０が平面アンテナ（送信部）３１と平面アンテナ（受信部）３２の間を搬送速度Ｖで搬送されることで、専用紙１０に付与された磁性ワイヤー３０１、磁性ワイヤー３０２、磁性ワイヤー３０３は、平面アンテナ（送信部）３１から発せられる交番磁界を順次受けて磁化反転し、その際に各磁性ワイヤーから順次発せられる磁気パルスが平面アンテナ（受信部）３２を介して検知部３４や信号処理部３６で順次検出される。
【００７４】
図５は、搬送速度Ｖで搬送される専用紙１０に付与された各磁性ワイヤーが平面アンテナ（送信部）３１と平面アンテナ（受信部）３２の間を順次移動することで用紙検出装置３０で検出される検出信号波形を時系列で示した図である。
【００７５】
図５（ａ）乃至（ｃ）は、専用紙１０に形成された磁性ワイヤー３０１、磁性ワイヤー３０２、磁性ワイヤー３０３が平面アンテナ（送信部）３１と平面アンテナ（受信部）３２の間を順次通過する様子を示した模式図、図５（ｄ）乃至（ｆ）は、図５（ａ）乃至（ｃ）の状態でそれぞれ検出される各検出信号波形を示す図である。
【００７６】
図５（ａ）に示すように、専用紙１０には専用紙１０の搬送方向（図中の矢印方向）の最前方側から磁性ワイヤー３０１、磁性ワイヤー３０２、磁性ワイヤー３０３の順に等間隔Ｐで配置されているので、平面アンテナ（送信部）３１と平面アンテナ（受信部）３２の間を専用紙１０が搬送速度Ｖで搬送されることで磁性ワイヤー３０１が最初に平面アンテナ（送信部）３１から発生している交番磁界を受けて磁化反転し、磁化反転した磁性ワイヤー３０１が発する磁気パルスと交番磁界の各検出信号が図５（ｄ）に示すような検出信号波形４０２（検知部３４での検出信号）とパルス信号Ａ（信号処理部３６での検出信号（時刻ｔａ））とで検出される。
【００７７】
また、図５（ｂ）に示すように、磁性ワイヤー３０１が発する磁気パルスを検出してからΔｔ時間後の時刻ｔｃの時に磁性ワイヤー３０２が平面アンテナ（送信部）３１から発生している交番磁界を受けて磁化反転し、磁化反転した磁性ワイヤー３０２が発する磁気パルスと交番磁界の各検出信号が図５（ｅ）に示すような検出信号波形４０３（検知部３４での検出信号）とパルス信号Ｃ（信号処理部３６での検出信号（時刻ｔｃ））とで検出される。
【００７８】
なお、Δｔは、磁性ワイヤー３０１と磁性ワイヤー３０２の間隔Ｐと専用紙１０の搬送速度Ｖから求まる時間である。
【００７９】
また、図５（ｃ）に示すように、磁性ワイヤー３０２が発する磁気パルスを検出してからΔｔ時間後の時刻ｔｄの時に磁性ワイヤー３０３が平面アンテナ（送信部）３１から発生している交番磁界を受けて磁化反転し、磁化反転した磁性ワイヤー３０３が発する磁気パルスと交番磁界の各検出信号が図５（ｆ）に示すような検出信号波形４０４（検知部３４での検出信号）とパルス信号Ｄ（信号処理部３６での検出信号（時刻ｔｄ））とで検出される。
【００８０】
なお、Δｔは、磁性ワイヤー３０２と磁性ワイヤー３０３の間隔Ｐと専用紙１０の搬送速度Ｖから求まる時間である。
【００８１】
このように用紙検出装置３０の信号処理部３６で検出されるパルス信号に基づき専用紙１０に付与された識別情報を検知する方法とその検知動作について図６を参照して説明する。
【００８２】
図６（ａ）は、信号処理部３６が３本の磁性ワイヤー３０１、磁性ワイヤー３０２、磁性ワイヤー３０３が付与された専用紙１０から検知する識別情報の一例を示す図である。  
図６（ａ）に示すように、平面アンテナ（送信部）３１と平面アンテナ（受信部）３２の間を搬送される専用紙１０に付与された各磁性ワイヤーは、前述したように磁性ワイヤー３０１、磁性ワイヤー３０２、磁性ワイヤー３０３の順に励磁されて磁化反転し、磁化反転した各磁性ワイヤーが発する磁気パルスがパルス信号パターン６００として検出される。
【００８３】
パルス信号パターン６００には３本のパルス信号が含まれており、この３本のパルス信号は、検出時刻ｔａ、ｔｃ、ｔｄの順に磁性ワイヤー３０１、磁性ワイヤー３０２、磁性ワイヤー３０３がそれぞれ発した磁気パルスの検出信号である。
【００８４】
信号処理部３６は、各検出時刻ｔａ、ｔｃ、ｔｄのパルス信号の有無に応じて「１」、「０」の値で認識するように構成されており、パルス信号パターン６００の検時刻ｔａ近傍でのパルス信号の有無を１ビット目の情報、検出時刻ｔｃ近傍でのパルス信号の有無を２ビット目の情報、検出時刻ｔｄ近傍でのパルス信号の有無を３ビット目の情報として認識する。
【００８５】
パルス信号パターン６００が検出された専用紙１０の場合は、パルス信号パターン６００が検出時刻ｔａ近傍でパルス信号が「有」で「１」、検出時刻ｔｃ近傍でパルス信号が「有」で「１」、検出時刻ｔｄ近傍でパルス信号が「有」で「１」と認識し、専用紙１０の識別情報を「１１１」と検知する。
【００８６】
また、図６（ｂ）は、信号処理部３６が２本の磁性ワイヤー３０１、磁性ワイヤー３０２が付与された専用紙１１から検知する識別情報の一例を示す図である。
【００８７】
図６（ｂ）に示すように、専用紙１１には専用紙１０の３本の磁性ワイヤー３０１、３０２、３０３のうちの磁性ワイヤー３０１、３０２のみを配置して表現された識別情報が付与されている。
【００８８】
平面アンテナ（送信部）３１と平面アンテナ（受信部）３２の間を搬送される専用紙１１の各磁性ワイヤーは、磁性ワイヤー３０１、磁性ワイヤー３０２の順に励磁されて磁化反転し、磁化反転した各磁性ワイヤーが発する磁気パルスがパルス信号パターン６０１として検出される。
【００８９】
パルス信号パターン６０１には２本のパルス信号が含まれており、この２本のパルス信号は、検出時刻ｔａ、ｔｃの順に磁性ワイヤー３０１、磁性ワイヤー３０２がそれぞれ発した磁気パルスの検出信号である。
【００９０】
パルス信号パターン６０１は、検出時刻ｔａ近傍でパルス信号が「有」で「１」、検出時刻ｔｃ近傍でパルス信号が「有」で「１」、検出時刻ｔｄ近傍でパルス信号が「無」で「０」と認識し、パルス信号パターン６０１が検出された専用紙１１の識別情報を「１１０」と検知する。
【００９１】
また、図６（ｃ）は、信号処理部３６が２本の磁性ワイヤー３０１、磁性ワイヤー３０３が付与された専用紙１２から検知する識別情報の一例を示す図である。
【００９２】
図６（ｃ）に示すように、専用紙１２には専用紙１０の３本の磁性ワイヤー３０１、３０２、３０３のうちの磁性ワイヤー３０１、３０３のみを配置して表現された識別情報が付与されている。
【００９３】
平面アンテナ（送信部）３１と平面アンテナ（受信部）３２の間を搬送される専用紙１２の各磁性ワイヤーは、磁性ワイヤー３０１、磁性ワイヤー３０３の順に励磁されて磁化反転し、磁化反転した各磁性ワイヤーが発する磁気パルスがパルス信号パターン６０２として検出される。
【００９４】
パルス信号パターン６０２には２本のパルス信号が含まれており、この２本のパルス信号は、検出時刻ｔａ、ｔｄの順に磁性ワイヤー３０１、磁性ワイヤー３０３がそれぞれ発した磁気パルスの検出信号である。
【００９５】
パルス信号パターン６０２は、検出時刻ｔａ近傍でパルス信号が「有」で「１」、検出時刻ｔｃ近傍でパルス信号が「無」で「０」、検出時刻ｔｄ近傍でパルス信号が「有」で「１」と認識し、パルス信号パターン６０２が検出された専用紙１２の識別情報を「１０１」と検知する。
【００９６】
また、図６（ｄ）は、信号処理部３６が２本の磁性ワイヤー３０２、磁性ワイヤー３０３が付与された専用紙１３から検知する識別情報の一例を示す図である。
【００９７】
図６（ｄ）に示すように、専用紙１３には専用紙１０の３本の磁性ワイヤー３０１、３０２、３０３のうちの磁性ワイヤー３０２、３０３のみを配置して表現された識別情報が付与されている。
【００９８】
平面アンテナ（送信部）３１と平面アンテナ（受信部）３２の間を搬送される専用紙１３の各磁性ワイヤーは、磁性ワイヤー３０２、磁性ワイヤー３０３の順に励磁されて磁化反転し、磁化反転した各磁性ワイヤーが発する磁気パルスがパルス信号パターン６０３として検出される。
【００９９】
パルス信号パターン６０３には２本のパルス信号が含まれており、この２本のパルス信号は、検出時刻ｔｃ、ｔｄの順に磁性ワイヤー３０２、磁性ワイヤー３０３がそれぞれ発した磁気パルスの検出信号である。
【０１００】
パルス信号パターン６０３は、検出時刻ｔａ近傍でパルス信号が「無」で「０」、検出時刻ｔｃ近傍でパルス信号が「有」で「１」、検出時刻ｔｄ近傍でパルス信号が「有」で「１」と認識し、パルス信号パターン６０３が検出された専用紙１３の識別情報を「０１１」と検知する。
【０１０１】
また、図６（ｅ）は、信号処理部３６が１本の磁性ワイヤー３０１が付与された専用紙１４から検知する識別情報の一例を示す図である。
【０１０２】
図６（ｅ）に示すように、専用紙１４には専用紙１０の３本の磁性ワイヤー３０１、３０２、３０３のうちの磁性ワイヤー３０１のみを配置して表現された識別情報が付与されている。
【０１０３】
平面アンテナ（送信部）３１と平面アンテナ（受信部）３２の間を搬送される専用紙１４の磁性ワイヤー３０１は励磁されて磁化反転し、磁化反転した磁性ワイヤー３０１が発する磁気パルスがパルス信号パターン６０４として検出される。
【０１０４】
パルス信号パターン６０４は１本のパルス信号であり、このパルス信号は、磁性ワイヤー３０１が発した磁気パルスの検出信号である。
【０１０５】
パルス信号パターン６０４は、検出時刻ｔａ近傍でパルス信号が「有」で「１」、検出時刻ｔｃ近傍でパルス信号が「無」で「０」、検出時刻ｔｄ近傍でパルス信号が「無」で「０」と認識し、専用紙１４の識別情報を「１００」と検知する。
【０１０６】
なお、ここでは各検出時刻ｔａ、ｔｃ、ｔｄの検出パルス信号の有無に応じた多ビット情報への対応付けによる識別情報の検知方法の一例を示したが、信号処理部３６がパルス信号パターンに含まれるパルス信号の本数と、各パルス信号間の検出間隔に基づき識別情報を対応付けて検知するようにしてもよい。
【０１０７】
また、ここでは専用紙に付与された識別情報が一種類の磁性ワイヤーで対応付けされている例を示したが、識別情報を複数種類の複数の磁性ワイヤーで表現して専用紙に付与するようにしてもよい。
【０１０８】
これまでの説明では平面アンテナ（送信用）３１と平面アンテナ（受信用）３２とを専用紙１０の搬送経路を挟んで上下に対向して配置した用紙検出装置３０を適用した複写機１００の例を示したが、複写機１００に平面アンテナ（送信用）３１と平面アンテナ（受信用）３２とで一対を形成する平面アンテナを専用紙１０の搬送経路を挟んで上下に対向して配置した用紙検出装置６０を適用する構成としてもよい。
【０１０９】
図７は、用紙検出装置６０を適用した複写機１０１の要部の構成を概略的に示したブロック図である。
【０１１０】
図７に示すように、複写機１０１は、複写機１００の用紙検出装置３０とそのアンテナである平面アンテナ（送信用）３１と平面アンテナ（受信用）３２を用紙検出装置６０とそのアンテナである平面アンテナ（送受信用）６１と平面アンテナ（送受信用）６２とに置換えた他は、複写機１００を構成する各部と同様に構成されているので用紙検出装置６０の構成と制御動作について示すこととする。
【０１１１】
図８は、複写機１０１の用紙検出装置６０の要部の構成と、各平面アンテナの一例を示す図である。を示すブロック図である。
【０１１２】
図８（ａ）は用紙検出装置６０の要部の構成を示すブロック図、図８（ｂ）は用紙検出装置６０の各平面アンテナの平面図、図８（ｃ）は各平面アンテナの断面図である。
【０１１３】
図８に示すように、用紙検出装置６０は、平面アンテナ（送受信用）６１と、平面アンテナ（送受信用）６２と、励磁部６３と、検知部６４と、タイミング制御部６５と、信号処理部６６と、切替制御部６７とを備えている。
【０１１４】
平面アンテナ（送受信用）６１は、図８（ｂ）及び（ｃ）に示すように、用紙の幅に対応して形成された長方形状のフレキシ基板６１０の表面に導体６１６で形成された渦巻き状の図示せぬ導体パターン（説明の便宜上、「導体パターン（受信用）」という。）が形成され、その上層に皮膜層３１７で皮膜され、その上層に導体６１２で形成された渦巻き状の導体パターン６１１（説明の便宜上、「導体パターン（送信用）」という。）が形成され、その上層に皮膜層６１３で皮膜されて構成されている。
【０１１５】
また、導体パターン（送信用）６１１の両端には端子６１４、端子６１５が形成され、導体６１６で形成された渦巻き状の図示せぬ導体パターン（受信用）の両端にも図示せぬ端子が形成されており、導体パターン（送信用）６１１と励磁部６３とは導体パターン（送信用）の端子６１４、端子６１５を介して接続され、検知部６４と導体パターン（受信用）は、この導体パターン（受信用）の両端に各端子を介して接続されている。
【０１１６】
導体パターン（送信用）６１１は、この導体パターン（送信用）６１１に電流が流れることで導体パターン（送信用）６１１の形状に対応した交番磁界が発生し、この交番磁界を大バルクハウゼン効果を起こす磁性ワイヤーが受けると磁化反転し、磁化反転時に急峻な磁気パルスが生じる。
【０１１７】
また、導体パターン（送信用）６１１の下層の導体パターン（受信用）は、導体パターン（送信用）６１１から発生する交番磁界を受けた磁性ワイヤーから発生する信号による磁界の変化を検出する。
【０１１８】
なお、導体パターン（送信用）６１１と導体パターン（受信用）との上層、下層の配置関係は、限定されるものではなく、導体パターン（送信用）６１１の上層に導体パターン（受信用）が配置されていてもよい。
【０１１９】
励磁部６３は、所定周波数の交流電流を生成し、生成した交流電流を平面アンテナ（送受信用）６１または平面アンテナ（送受信用）６２の各導体パターンに流す制御を行い、専用紙１０に付与された磁性ワイヤーを励磁するための交番磁界を発生させる。
【０１２０】
タイミング制御部６５は、励磁部６３と検知部６４とのタイミング制御を行う。
【０１２１】
具体的には、励磁部６３で生成される所定周波数の交流電流の立ち上がり方向で電流値が０になる時間、すなわち電流の向きが負から正へ逆転する時の時間を検出し、この検出した時間に交番磁界の一周期に一回のタイミングで検知部６４へ基準信号を出力する。
【０１２２】
検知部６４は、専用紙１０に付与された少なくとも一種類以上の磁性ワイヤーが平面アンテナ（送受信用）６１または平面アンテナ（送受信用）６２の各導体パターン（送信用）６１１から発生した交番磁界を受けて磁化反転時に発する磁気パルスを平面アンテナ（送受信用）６１または平面アンテナ（送受信用）６２の各導体パターン（受信用）に流れる誘導電流の検出結果とタイミング制御部２４から出力された基準信号のタイミングに基づき検出し、検出結果を信号処理部６６へ出力する。
【０１２３】
信号処理部６６は、検知部３４から出力された検出信号を増幅し、平面アンテナ（送受信用）６１または平面アンテナ（送受信用）６２の各導体パターン（送信用）６１１から発生した交番磁界とノイズ成分を除去して磁性ワイヤーの磁化反転時の磁気パルスに対応したパルス信号を検出し、検出結果に基づき少なくとも一種類以上の磁性ワイヤーと対応付けされて表現されて専用紙１０に付与された識別情報３００を検知する。
【０１２４】
切替制御部６７は、励磁部６３と平面アンテナ（送受信用）６１及び平面アンテナ（送受信用）６２の各導体パターン（送信用）６１１との接続と、検知部６４と平面アンテナ（送受信用）６１及び平面アンテナ（送受信用）６２の各導体パターン（受信用）との接続とを予め設定された接続条件に基づき時分割で切替え接続する制御を行う。
【０１２５】
このように構成された用紙検出装置６０は、各平面アンテナ（送受信用）の各導体パターン（送信用）６１１から発生した交番磁界が各導体パターン（送信用）６１１と近接して配置された各平面アンテナ（送受信用）の各導体パターン（受信用）に漏洩して専用紙１０に付与された磁性ワイヤーの誤検知を防止するために、片方の平面アンテナ（送受信用）の導体パターン（送信用）６１１から交番磁界を発信し、この交番磁界により励磁された磁性ワイヤーが発する磁気パルスを他の片方の平面アンテナ（送受信用）の導体パターン（受信用）で受信して磁性ワイヤーを検知するように構成されている。
【０１２６】
具体的には、用紙検出装置６０の切替制御部６７が予め設定された接続組合せに基づき励磁部６３と各平面アンテナ（送受信用）の各導体パターン（送信用）６１１との接続と、検知部６４と各平面アンテナの各導体パターン（受信用）との接続とを時分割で切替え接続することで実現している。
【０１２７】
予め設定された接続組合せは、具体的には励磁部６３と平面アンテナ（送受信用）６１の導体パターン（送信用）６１１とを接続し、検知部６４と平面アンテナ（送受信用）６２の導体パターン（受信用）とを接続する組合せ（説明の便宜上、「モード１」という。）と、励磁部６３と平面アンテナ（送受信用）６２の導体パターン（送信用）６１１とを接続し、検知部６４と平面アンテナ（送受信用）６１の導体パターン（受信用）とを接続する組合せ（説明の便宜上、「モード２」という。）である。
【０１２８】
切替制御部６７は、前述のモード１とモード２の接続状態を励磁部６３が生成する交流電流の周波数の波数に対応して交互に切替え接続てもよく、一定時間毎に交互に切替え接続してもよい。
【０１２９】
励磁部６３が生成する交流電流の周波数の波数に対応してモード１とモード２の接続状態に交互に切替える場合は、例えば交流電流の周波数のｎ波数（ｎ＝１、２、・・・等の予め指定される整数）毎に交互にモード１とモード２の接続状態とし、一定時間毎に交互に切替える場合は、例えば予め指定された時間間隔で交互にモード１とモード２の接続状態とする。
【０１３０】
なお、各平面アンテナ（送受信用）のそれぞれの導体パターン（送信用）６１１は、各導体パターン（送信用）６１１の端子を介して励磁部６３と接続され、各平面アンテナ（送受信用）のそれぞれの導体パターン（受信用）は、導体６１６で形成された各導体パターン（受信用）の端子を介して検知部３６と接続される。
【０１３１】
このように切替制御部６７が予め設定された接続組合せ（モード１、モード２）を予め設定されたタイミング（交番磁界の波数毎または一定時間毎）で切替え接続するので片方の平面アンテナ（送受信用）の導体パターン（送信用）６１１から交番磁界が発信され、この交番磁界により励磁された磁性ワイヤーが発する磁気パルスを他の片方の平面アンテナ（送受信用）の導体パターン（受信用）で受信されるので磁界の漏洩による磁性ワイヤーの誤検知を防止することができる。
【０１３２】
用紙検出装置６０が専用紙１０に付与された磁性ワイヤーを検出し、検出結果に基づき専用紙１０に付与された識別情報を検知する方法については用紙検出装置３０の場合と同様であるので省略する。
【産業上の利用可能性】
【０１３３】
本発明は、磁性体の検知と、その検知結果を応用する技術に適用可能である。  
【図面の簡単な説明】
【０１３４】
【図１】本発明に係わる用紙検出装置３０を適用した複写機１００の要部の構成を示すブロック図
【図２】本発明に係わる用紙検出装置３０の要部の構成を示すブロック図
【図３】磁性ワイヤーが付与された専用紙１０と、磁性ワイヤーの特性を示す図
【図４】磁性ワイヤーが磁化反転時に発する磁気パルスとその検出信号を示す図
【図５】情報読取装置３０が専用紙１０から検出する検出パルス信号の時系列図
【図６】検出したパルス信号に基づく専用紙の識別情報の検知動作を示す説明図
【図７】用紙検出装置６０を適用した複写機１０１の要部の構成を示すブロック図
【図８】用紙検出装置６０の要部の構成を示すブロック図
【符号の説明】
【０１３５】
１      原稿
２      プラテンカバー
３      プラテンガラス
４      用紙トレイ
５      排紙トレイ
１０、１１、１２、１３、１４  専用紙
２０    画像処理部
３０、６０  用紙検出装置
３１    平面アンテナ（送信用）
３１１、６１１  導体パターン
３１２、６１３、６１７  導体
３１３、６１２、６１６  皮膜層
３１４、３１５、６１４、６１５  端子
３２    平面アンテナ（受信用）
３３、６３  励磁部
３４、６４  検知部
３５、６５  タイミング制御部
３６、６６  信号処理部
４０    制御部
５０    画像形成部
５１    露光制御部
５２    感光ドラム
５３    現像器
５４    転写ドラム
５５    定着装置
６７    切替制御部
６１、６２  平面アンテナ（送受信用）
１００、１０１  複写機
３００  識別情報
３０５  磁気履歴曲線
３０１、３０２、３０３  大バルクハウゼン効果を起こす磁性ワイヤー
４０１、４０２、４０３、４０４  検出信号波形
【図１】
2008070948.tif 000003
【図２】
2008070948.tif 000004
【図３】
2008070948.tif 000005
【図４】
2008070948.tif 000006
【図５】
2008070948.tif 000007
【図６】
2008070948.tif 000008
【図７】
2008070948.tif 000009
【図８】
2008070948.tif 000010